(57)【要約】【課題】  見開きページに亙るような写真も収納可能で且つその生産性も良好なアルバムを提供する。【解決手段】  写真等を焼き付けた印画紙２の裏面に、その中央部で上下に亙る所定の間隔３をあけて一対の台紙４を貼着する。この印画紙２をその中央部で表側に谷折りする。この谷折りした複数の印画紙２を重ねて台紙４同士を貼着して印画紙積層体１を形成する。表紙７の背表紙部９を印画紙積層体１の各谷折り部６を覆うように配置する。表紙７の表表紙部８及び裏表紙部１０を印画紙積層体１の表側及び裏側の台紙４にそれぞれ貼着する。【選択図】        図１
2006043967.tif 000002
【特許請求の範囲】
【請求項１】
写真等を焼き付けた印画紙の裏面に、その中央部で上下に亙る所定の間隔をあけて一対の台紙を貼着し、この印画紙をその中央部で表側に谷折りし、この谷折りした複数の印画紙を重ねて台紙同士を貼着して印画紙積層体を形成し、表紙の背表紙部を印画紙積層体の各谷折り部を覆うように配置し、表紙の表表紙部及び裏表紙部を印画紙積層体の表側及び裏側の台紙にそれぞれ貼着したことを特徴とするアルバム。
【請求項２】
印画紙の表面に全面に亙って透明フィルムを貼着したことを特徴とする請求項１記載のアルバム。
【発明の詳細な説明】
【技術分野】
【０００１】
本発明は、アルバムに関するものである。
【背景技術】
【０００２】
従来、アルバムは、表紙の表表紙部と裏表紙部とにそれぞれ見返しを貼着し、この1対の見返しの間に表裏面に写真を貼着可能な紙葉を重ねて配置し、各紙葉と1対の見返しとをビス止めなどで連結することで形成されている（たとえば、特許文献１参照）。
【０００３】
しかし、この種のアルバムでは、紙葉を見開いたときには見開きページの間に隙間ができるため、近年の多様化する写真サイズや写真構成の要求に応じることができなくなっている。つまり、見開きページに亙って連続するような写真を分割せずに連続させて収めることなどはできないものであった。また、アルバムの形成作業にあってもビス止めなどの煩雑な作業が必要となり、その生産性も良好とは言えないものであった。
【特許文献１】特開２００３−１７０６７５号公報
【発明の開示】
【発明が解決しようとする課題】
【０００４】
本発明は上記の従来の問題点に鑑みて発明を為したものであって、見開きページに亙るような写真も収納可能で且つその生産性も良好なアルバムを提供することを課題とするものである。
【課題を解決するための手段】
【０００５】
上記課題を解決するために本発明の請求項１に係るアルバムは、写真等を焼き付けた印画紙２の裏面に、その中央部で上下に亙る所定の間隔３をあけて一対の台紙４を貼着し、この印画紙２をその中央部で表側に谷折りし、この谷折りした複数の印画紙２を重ねて台紙４同士を貼着して印画紙積層体１を形成し、表紙７の背表紙部９を印画紙積層体１の各谷折り部６を覆うように配置し、表紙７の表表紙部８及び裏表紙部１０を印画紙積層体１の表側及び裏側の台紙４にそれぞれ貼着したことを特徴とする。これによると、印画紙積層体１の見開き状に連続する印画紙２に写真１１を見開きページに亙って分割せずに連続するように収めることができる。また、印画紙積層体１の形成作業や印画紙積層体１の表紙７への綴込み作業は一貫して台紙４の貼着作業によって行うのでアルバムＡの生産性を向上できる。
【０００６】
また、請求項２に係るアルバムは、請求項１において、印画紙２の表面に全面に亙って透明フィルム５を貼着したことを特徴とする。これによると、透明フィルム５によって印画紙２の保護と谷折り部６の補強とを同時に施すことができる。
【発明の効果】
【０００７】
本発明は、写真等を焼き付けた印画紙の裏面に、その中央部で上下に亙る所定の間隔をあけて一対の台紙を貼着し、この印画紙をその中央部で表側に谷折りし、この谷折りした複数の印画紙を重ねて台紙同士を貼着して印画紙積層体を形成しているため、印画紙積層体の見開き状に連続した印画紙に対し見開きページに亙る写真を分割せずに収めることができ、つまり写真等からなる図柄を見開きページ全体に自由に収めることができてアルバムの高意匠化を図り得る効果を有しているのであり、また、表紙の背表紙部を印画紙積層体の各谷折り部を覆うように配置し、表紙の表表紙部及び裏表紙部を印画紙積層体の表側及び裏側の台紙にそれぞれ貼着してアルバムが形成されているので、印画紙積層体の形成作業や印画紙積層体の表紙への綴込み作業は一貫して台紙の貼着作業によって行うことができ、アルバムの生産性を向上できる効果を有している。更に言うと、表面に写真等が焼き付けられた印画紙をそのままページ用の紙葉として用いているから、見開きページに亙る写真等の図柄の有る無しにかかわらず各谷折り部の折り曲げ易さを均一にさせる効果も有しており、また、印画紙の有する比較的強い強度に加えて谷折り部のリブ効果によって、ページを繰るときに負荷のかかる谷折り部に比較的強い強度を確保させて、アルバムの強度確保を簡単に図り得る効果も有している。
【発明を実施するための最良の形態】
【０００８】
図１，２のように、本例のアルバムＡは、複数枚の印画紙２を折り重ねて形成した印画紙積層体１を表紙７に綴じ込むことで形成されている。ここで、印画紙２はその表面に写真や絵柄等の図柄が焼き付けられた感光紙であり、この表面には防水性や紫外線などの耐候性を向上させて表面保護を図るＰＰ加工が施されている。つまり、図３のように、印画紙２の表面全体にはポリプロピレンなどの透明フィルム５がラミネート処理にて貼着されている。また、印画紙２の裏面には、左右方向の中央部に上下に亙る間隔３をあけて一対の台紙４が貼着されている。詳しくは、この一対の台紙４は同サイズの厚紙であり、間隔３を残して印画紙２の裏面全面に貼着されていて印画紙２の予期せぬ折れなどが防止されている。そして、この印画紙２は、図４のように、一対の台紙４間の間隔３である左右方向の中央部分で表側に２つに谷折りされる。なお、印画紙２への一対の台紙４の貼着作業と印画紙２の谷折り作業との作業順番は任意である。ここで、印画紙２の谷折り箇所は便宜上、谷折り部６と称する。
【０００９】
そして、図４のように、この谷折りされた複数枚の印画紙２を向きを合わせて上下に重ねたときには、上下で重なり合う印画紙２の間では台紙４が対向配置されるのであり、この対向する台紙４同士を貼り合わせることで複数枚の印画紙２が折り重なって連結された印画紙積層体１が形成される。このように、印画紙積層体１の形成作業は位置合わせの行い易い対向する台紙４同士の貼着作業にて行われるので、寸法精度の良好な印画紙積層体１の安定形成が可能にされている。なお、この印画紙積層体１における表側の面や裏側の面にはそれぞれ台紙４が確実に位置するようになっている。また、表紙７は、表表紙部８、背表紙部９及び裏表紙部１０を折曲げ自在に連設して形成されている。本例の表表紙部８及び裏表紙部１０には、アルバムＡを開き易くすることを期して、背表紙部９との連結部位の近傍位置に上下に亙る溝１２がそれぞれ刻設されている。
【００１０】
そして、この表紙７は、図５のように、その背表紙部９を印画紙積層体１の背部となる各谷折り部６に覆わせるようにし、その表表紙部８及び裏表紙部１０を印画紙積層体１の表側及び裏側を覆わせるようにして配置されるのであり、表表紙部８及び裏表紙部１０を印画紙積層体１の表側及び裏側の台紙４にそれぞれ貼着することで、印画紙積層体１が表紙７に綴じ込まれてアルバムＡが形成されている。詳しくは、このアルバムＡにあって、印画紙積層体１における各印画紙２の台紙４の谷折り部６側の端部は表紙７の表表紙部８及び裏表紙部１０の各溝１２よりも背表紙部９側の位置に位置され、また各印画紙２の谷折り部６は背表紙部９に非接触状態で対向した状態とされている。しかして、ページを見開くようにしたときには背表紙部９に対して表表紙部８や裏表紙部１０はそれぞれ溝１２から折り曲げられて谷折り部６の背表紙部９への干渉を防止してアルバムＡのページの見開きを容易にしているのである。なお、図示はしないが印画紙積層体１の各谷折り部６には花布を付着させて装飾を施し、アルバムＡに高級感をもたせることも好ましい。
【００１１】
上記構成のアルバムＡにあっては、図２のように、ページを繰って見開いたときには見開きページに亙る一枚の印画紙２が現出される。したがって、見開きページに跨って連続するような写真１１等の図柄でもこの印画紙２の表面に自由に収めることができるのである。つまり、背景技術で示した一般のアルバムＡでは見開きページの間に紙葉間の隙間があるから、見開きページに亙るような写真１１は上記隙間に対応する部位で２つに分割しなければならなくてその体裁上実質的には収めることはできないものであったが、本例のアルバムＡでは上記のように見開きページに亙るような写真１１等の図柄も分割せずに体裁良く収めることが可能にされているのであり、見開きページ全体を自由に使用して写真１１等の図柄を表現させることができ、アルバムＡの高意匠化を図ることができるのである。殊に、本例のアルバムＡは、アルバムＡに収める写真１１に比較的サイズの大きな集合写真やパノラマサイズの写真を含むような場合に、上記写真１１を見開きページに亙って収納できる効果を有効に発揮できるものである。
【００１２】
また、本例のアルバムＡでは、表面に写真１１等が焼き付けられた所定寸法の印画紙２をそのままページ用の紙葉として用いており、これによると、見開きページに亙る写真１１等の図柄の有る無しにかかわらず各谷折り部６の折り曲げ易さを略均一にさせることができ、また、印画紙２の有する比較的強い強度に加えて谷折り部６のリブ効果によってページを繰るときに負荷のかかる谷折り部６に比較的強い強度を確保させて、アルバムＡの強度確保が簡単に図られているのである。更に言うと、印画紙２の表面には全面に亙って焼き付けられた写真１１等の図柄に対する防水等の保護を図るための透明フィルム５が貼着されているが、この透明フィルム５によっても上記ページを繰るときの谷折り部６への負荷に対する強度が向上されているのであり、アルバムＡの強度向上が図られているのである。
【００１３】
また、本例のアルバムＡでは、アルバムＡの形成にかかる印画紙積層体１の形成作業や印画紙積層体１の表紙７への綴込み作業が一貫して台紙４の貼着作業によって行われており、つまりこのようにアルバムＡの形成作業が台紙４の貼着作業といった作業に統一されたことから、アルバムＡの形成作業の単純化が図られて、アルバムＡの生産性の向上が図られているのである。詳しくは、背景技術の項で示した一般のアルバムＡでは表紙７に紙葉を綴じ込む際にはビス止め等の綴じ込み作業に特有の煩雑な作業が必要とされているのに対し、本例のアルバムＡではこの表紙７への紙葉の綴込み作業に特有のビス止め等の煩雑な作業が必要とされず、代わりに紙葉の形成作業（印画紙２への台紙４の貼着）と同じ台紙４の貼着作業によって表紙７への紙葉の綴込み作業（印画紙積層体１の表紙７への綴込み作業）が行われており、このようにアルバムＡの形成作業が一貫した台紙４の貼着作業によって行われたことでアルバムＡの形成作業の大幅に単純化され、アルバムＡの生産性の向上が図られているのである。また、本例の一貫した台紙４の貼着作業により形成されたアルバムにあっては、印画紙積層体１を間に挟んで表表紙部８と裏表紙部１０とを近接させるようにプレスすることで、台紙４の印画紙２への貼着及び印画紙積層体１の表裏面側の台紙４の表紙７への貼着の仕上げを一気に行うことができることから、仕上げ作業の簡略化も図られて、アルバムＡの生産性の向上が図られているのである。
【００１４】
更に言うと、本例のアルバムＡでは、印画紙２への一対の台紙４の貼着作業は印画紙積層体１を構成する全ての印画紙２に対して同じ要領で例外無く行われている。これによると、印画紙２への一対の台紙４の貼着作業の画一化が図られて作業機械の導入などにも有利な作業の単純化が図られており、アルバムＡの生産性の向上に寄与している。また、これによると、印画紙２の重ねる順番にかからわらず印画紙積層体１の表側の面及び裏側の面には必ず台紙４を位置させることが可能とされており、印画紙積層体１の形成からこの印画紙積層体１の表紙７への綴込み作業へのスムーズな移行が可能であってアルバムＡの形成作業の流れに支障をきたすことがないようにされている。したがって、印画紙２に台紙４を貼着した後でも印画紙積層体１の形成前であれば、アルバムＡの形成作業の流れに支障をきたすことがなく印画紙２の重ねる順番を如何ようにも変更可能であり、顧客による突然のアルバムＡの写真構成等の変更要求に対しても容易に対処できるといった利点も有しているのである。
【図面の簡単な説明】
【００１５】
【図１】本発明の実施の形態の例のアルバムの要部の斜視図である。
【図２】同上のアルバムの全体斜視図である。
【図３】同上の印画紙への透明フィルム及び一対の台紙の貼着を説明する説明図である。
【図４】同上の印画紙積層体の形成作業を説明する説明図である。
【図５】同上の印画紙積層体の表紙への綴込み作業を説明する説明図である。
【符号の説明】
【００１６】
Ａ  アルバム
１  印画紙積層体
２  印画紙
３  間隔
４  台紙
５  透明フィルム
６  谷折り部
７  表紙
８  表表紙部
９  背表紙部
１０  裏表紙部
１１  写真
【図１】
2006043967.tif 000003
【図２】
2006043967.tif 000004
【図３】
2006043967.tif 000005
【図４】
2006043967.tif 000006
【図５】
2006043967.tif 000007